【手続補正書】
【提出日】平成19年6月11日(2007.6.11)
【手続補正１】
【補正対象書類名】明細書
【補正対象項目名】特許請求の範囲
【補正方法】変更
【補正の内容】
【特許請求の範囲】
【請求項１】  取付位置で重なり合うようになっているクランプバンド部分(11A,11B) と、留めるべき物体の周りにクランプを引き締めるための引き締め手段(13)と、クランプの引き締め中案内機能を行いかつ内側バンド部分(11b) から外方へ延びている少なくとも１つのフック状部材(21,31,321,531) を含む重なり合うバンド部分を連結するための連結手段(21,31,32,33,35,321,532,531)とを備え、前記フック状部材は外側バンド部分の少なくとも１つの孔(22,35,426) に係合するように作用可能である開放形クランプのための連結装置において、
全体の引き締め作用中、連結手段の離脱を阻止するために外側バンド部分(11a) に面する前記フック状部材の当接面(51,150,250,351,531b) を設けたことを特徴とするクランプのための連結装置。
【請求項２】  前記当接面は前記フック状部材の自由端に向かう方向に前記外側バンド部分(11b) の相対運動を制限するように作用可能であることを特徴とする請求項１に記載のクランプのための連結装置。
【請求項３】  前記当接面(51,151,150,250)は前記フック状部材から前記外側バンド部分に向かって突出する深絞り部分により形成されていることを特徴とする請求項１または２に記載のクランプのための連結装置。
【請求項４】  前記深絞り部分は、フック状部材の縦方向を実質的に横切る方向に少なくとも部分的に延びている切込み(51a) により前記フック状部材から部分的に分離されていることを特徴とする請求項３に記載のクランプのための連結装置。
【請求項５】  前記切込みは少なくともほぼ直線であるかまたは曲線(51a,151a,251a) であることを特徴とする請求項４に記載のクランプのための連結装置。
【請求項６】  前記当接面は直接前記フック状部材(351) の曲げられた区分により形成されていることを特徴とする請求項１または２に記載のクランプのための連結装置。
【請求項７】  前記当接面には、切込みの中心領域に係留手段(251a ′) が設けられていることを特徴とする請求項４に記載のクランプのための連結装置。
【請求項８】  前記係留手段(251a ′) は、前記外側バンド部分のくぼみと開口(221) のうちの一方に係合するようになっている突起であることを特徴とする請求項７に記載のクランプのための連結装置。
【請求項９】  前記フック状部材(21,31,321) は前記クランプバンド手段にほぼＵ形に切込み後内側クランプバンド部分から曲げられた案内フックであることを特徴とする請求項１または２に記載のクランプのための連結装置。
【請求項１０】  内側クランプバンド部分(11b) には、さらに、少なくとも１つの冷間変形されかつ深絞りされた支持フック部材(32,532)が設けられており、前記支持フック部材は前記外側バンド部分の少なくとも１つの別の孔(335,435) に係合するように作用可能でありかつ前記少なくとも１つの別の孔のエッジと係合するように作用可能な所定の高さの当接面を形成している請求項１に記載のクランプのための連結装置において、
前記フック状部材をその孔に係合させることによりクランプを予備組み立てしたときに、前記少なくとも１つの別の孔のエッジが前記支持フック部材の高さ内の平面にあるように、前記当接面が前記フック状部材上に位置していること（図１５）を特徴とするクランプのための連結装置。
【請求項１１】  前記当接面は、外側バンド部分に面する前記フック状部材の曲げられた区分(351) により直接形成されていることを特徴とする請求項１０に記載の開放形クランプのための連結装置。
【請求項１２】  前記の曲げられた区分(351) がその平らな状態のクランプバンド手段に少なくともほぼ平行に延びていることを特徴とする請求項１１に記載の開放形クランプのための連結装置。
【請求項１３】  さらに、前記フック状部材に少なくとも前記曲げられた区分を形成する各屈曲部の領域内に補強手段(329a,329b,329c)を有することを特徴とする請求項１１に記載の開放形クランプのための連結装置。
【請求項１４】  前記補強手段(329a,329b,329c)は補強くぼみと浮き出しのうちの少なくとも１つにより形成されていることを特徴とする請求項１３に記載の開放形クランプのための機械的な連結部。
【請求項１５】  取付位置で重なり合うようになっているクランプバンド部分(11a,22b) を有するクランプバンド手段(11)と、重なり合うバンド部分(11a,11b) を連結するための連結手段(21,31,32,335,321,532,531)と、留めるべき物体の周りにクランプを固定するための引き締め手段(13)とを備え、前記連結手段は前記重なり合うバンド部分の外側の少なくとも１つの孔(35,426)に係合するようになっている前記重なり合うバンド部分の内側(11b) の少なくとも１つの外方へ延びるフック状部材(21,31,321,531) を含むクランプにおいて、
前記引き締め手段により全体の引き締め作用中連結手段の離脱の可能性を少なくするために外側バンド部分(11a) のための当接面を形成する前記フック状部材の予備組立手段(50,150,250,3351,531b)を設けたことを特徴とするクランプ。
【請求項１６】  前記引き締め手段は、架橋部分(16)により相互連結される２つの外側へ延びる脚部(14,15) を有する塑性変形可能な耳(13)を有することを特徴とする請求項１５に記載のクランプ。
【請求項１７】  前記当接面は深絞りと曲げのうちの少なくとも１つにより形成されることを特徴とする請求項１６に記載のクランプ。
【請求項１８】  前記フック状部材(21,31,531) はクランプの完全に引き締められた状態で重なり合うバンド部分を連結する連結手段の部分を形成することを特徴とする請求項１５に記載のクランプ。
【請求項１９】  前記フック状部材(531) は、実質的にクランプバンド手段の縦方向に延びる組み合わせ案内兼支持フックであり、前記案内兼支持フックは斜め外方に延びる後面(531a,531c) を有する請求項１に記載のクランプのための連結装置において、
前記当接面（531)は前記後面に形成されることを特徴とする連結装置。
【請求項２０】  前記当接面は、外側区分(531c)と、内側区分(531a)と、前記内側区分と外側区分を接合する中央区分(531b)とを形成する前記後面の切込み(531b)により形成され、前記中央区分は前記内側区分と外側区分に対して角度をなして配置されていることを特徴とする請求項１または１９に記載のクランプのための連結装置。
【請求項２１】  前記中央区分(531b)は外側バンド部分(11a) の表面に少なくともほぼ平行に延びると共に、内側および外側区分(531a と531c) の両方が外方に延びていることを特徴とする請求項２０に記載のクランプのための連結装置。
【請求項２２】  少なくとも外側区分(531c)は斜め外方に延びていることを特徴とする請求項２１に記載のクランプのための連結装置。
【請求項２３】  前記内側区分と外側区分(531a,531c) は互いにほぼ平行に外方へ延びていることを特徴とする請求項２２に記載のクランプのための連結装置。
【請求項２４】  重なり合うように意図されたバンド部分を有しかつ少なくとも１つの案内フックを含む機械的連結部を備えた開放形クランプを製造する方法において、
所定長さの平らなブランクを切断し、
案内フックの長さに一致する形状のほぼＵ形の切込みを作り、
その後、斜め外方に延びる内側案内区分(531a)と、その平らな状態でクランプバンドに少なくともほぼ平行に延びる中央区分(531b)とを形成するような仕方で前記案内フックを二度曲げる段階からなる方法。
【請求項２５】  さらに、曲げ段階の前にまたは曲げ段階中、案内フックの所定の領域にくぼみまたは浮き出しの形態の少なくとも１つの補強(329a,329b,329c)を設ける段階を含むことを特徴とする請求項２４に記載の方法。